(57)【要約】  本開示は、身体マッサージ機器およびその操作方法であって、身体マッサージ機器が、身体の下肢に脱離可能に装着される支持ホルダと、身体の肛門および肛門周囲皮膚を圧縮および／またはこするための、支持ホルダ上に装着された肛門マッサージアセンブリとを備える、身体マッサージ機器およびその操作方法に関する。本開示は、支持ホルダであって、身体マッサージ機器を身体の下肢に装着し、肛門および肛門周囲皮膚に密に分布する性的に敏感な神経を刺激するように、支持ホルダ上に装着された肛門マッサージアセンブリによって身体の肛門および肛門周囲皮膚への圧縮および／またはこすりマッサージを遂行し、その結果、ユーザが、本開示の身体マッサージ機器を使用するときに、既存の陰茎自慰器具または前立腺を刺激するための挿入型マッサージ器具とは異なる刺激効果を得ることができる、支持ホルダを提供する。さらに、身体の下肢に装着される身体マッサージ機器は着用可能なマッサージ器具と同等であり、それを長時間にわたりユーザが保持する必要がないので、使用中ユーザは疲れにくい。
2019535335.tif 000002
【特許請求の範囲】
【請求項１】
身体マッサージ機器であって、
身体の下肢に脱離可能に装着される支持ホルダと、
前記身体の肛門および肛門周囲皮膚への圧縮および／またはこすりマッサージのための、前記支持ホルダ上に装着された肛門マッサージアセンブリと、を備える、身体マッサージ機器。
【請求項２】
前記支持ホルダが、
前記身体の脚を挟持および固定するための脚挟持構造（２）と、
様々なマッサージアセンブリを装着するための、前記脚挟持構造（２）上に装着されたマッサージアセンブリ装着ブラケット（１）と、を備える、請求項１に記載の身体マッサージ機器。
【請求項３】
前記脚挟持構造（２）が、前記身体の大腿の前側および後側に圧縮力を及ぼすことによる挟持および固定のための、線形形状、曲線形形状、またはひだ状形状に並置された一対の側方アームの少なくとも１つの列を備える、請求項２に記載の身体マッサージ機器。
【請求項４】
前記脚挟持構造が、挟持および固定のための圧縮力を及ぼしながら、前記身体の大腿にスリーブのように構成される少なくとも一組の密閉された固定バンドを備える、請求項２に記載の身体マッサージ機器。
【請求項５】
前記脚挟持構造が、少なくとも一組の側方アームと、固定バンドと、を備え、それによって前記側方アームの端部を前記固定バンドに接続して、密閉されたアームバンドアセンブリを形成し、前記密閉されたアームバンドアセンブリが、挟持および固定のための圧縮力を及ぼしながら、前記身体の大腿にスリーブのように構成される、請求項２に記載の身体マッサージ機器。
【請求項６】
前記脚挟持構造（２）が前記身体の脚を挟持および固定するときに、前記マッサージアセンブリ装着ブラケット（１）が、前記身体の両脚の間に位置決めされ、その結果、前記身体の前記脚が所定の動作を遂行するときに、前記マッサージアセンブリ装着ブラケット（１）上に装着された前記マッサージアセンブリが、前記脚の運動と共に前記身体に対して移動する、請求項２に記載の身体マッサージ機器。
【請求項７】
前記一対の側方アームの間の距離が、異なる身体の脚のサイズまたは前記身体の異なる脚の部分に適合するように調節可能であるように構成されている、請求項３に記載の身体マッサージ機器。
【請求項８】
前記肛門マッサージアセンブリが、
前記支持ホルダ上に装着された肛門マッサージアーム（３）と、
肛門マッサージヘッド（４）と、を備え、前記肛門マッサージヘッド（４）が、前記肛門マッサージアーム（３）の一方の端部に装着され、前記肛門マッサージアーム（３）の効果の下、肛門部分に圧縮力を及ぼし、それによって前記肛門および前記肛門周囲皮膚への圧縮マッサージを実施するように構成されており、かつ前記肛門マッサージアーム（３）上の前記肛門マッサージヘッド（４）の移動、または前記肛門マッサージアーム（３）の移動に伴う前記肛門マッサージヘッド（４）の移動によって前記肛門および前記肛門周囲皮膚へのこすりマッサージを遂行するように構成されている、請求項１に記載の身体マッサージ機器。
【請求項９】
前記肛門マッサージアーム（３）が、前記支持ホルダ上に設けられた回転シャフトディスク（３．１）によって前記支持ホルダに回転可能に接続されており、前記肛門マッサージヘッド（４）が前記肛門および前記肛門周囲皮膚を圧縮するように、前記肛門マッサージアーム（３）と前記支持ホルダとの間に設けられた弾性要素が、前記肛門マッサージアーム（３）に向かってトルクを及ぼすように構成されている、請求項８に記載の身体マッサージ機器。
【請求項１０】
前記弾性要素が、
前記回転シャフトディスク（３．１）内に設けられたねじりばね（３．４）、または
前記支持ホルダと前記肛門マッサージアーム（３）との間に設けられたばね（３．４’）、もしくは
前記回転シャフトディスク（３．１）と前記肛門マッサージアーム（３）との間に設けられたばね（３．４’）である、請求項９に記載の身体マッサージ機器。
【請求項１１】
前記弾性要素の弾性力が、調節可能である、請求項９に記載の身体マッサージ機器。
【請求項１２】
前記回転シャフトディスク（３．１）の外側に保護ハウジング（３．２）が設けられている、請求項９に記載の身体マッサージ機器。
【請求項１３】
前記肛門マッサージヘッド（４）が、前記肛門マッサージアーム（３）に対して適所に、脱離可能、交換可能、および／または調節可能である、請求項８に記載の身体マッサージ機器。
【請求項１４】
前記肛門マッサージヘッド（４）が、単一材料で一体的に形成されているか、または前記肛門マッサージヘッド（４）が、ベース本体と、前記ベース本体の少なくとも一部の表面を覆う可撓性表面層材料と、を備える、請求項８に記載の身体マッサージ機器。
【請求項１５】
前記肛門および前記肛門周囲皮膚に接触するための前記肛門マッサージヘッド（４）の一部分が、平滑表面、ひだ状表面、顆粒状表面、凹凸表面、または調節可能な形状を有する表面であるように構成されている、請求項８に記載の身体マッサージ機器。
【請求項１６】
前記肛門マッサージヘッド（４）に連続的な振動効果を生成させるための、前記肛門マッサージアーム（３）または前記肛門マッサージヘッド（４）上に設けられた振動モータ（４．２）をさらに備える、請求項８に記載の身体マッサージ機器。
【請求項１７】
前記肛門マッサージアーム（３）が、
一方の端部が前記肛門マッサージヘッド（４）に接続されている伸縮ロッドと、
前記肛門マッサージヘッド（４）が滑動性刺激を前記肛門および前記肛門周囲皮膚に及ぼすように、前記伸縮ロッドを駆動させて伸縮動作を遂行するための伸縮駆動機構と、を備える、請求項８に記載の身体マッサージ機器。
【請求項１８】
括約筋マッサージヘッド（８、８’、８’’）と、選択的に設けられた括約筋マッサージアームと、をさらに備え、前記括約筋マッサージヘッド（８、８’、８’’）が、前記肛門括約筋への圧縮および／またはこすりマッサージを遂行するために、前記肛門マッサージアセンブリおよび／もしくは前記支持ホルダ上に直接または前記括約筋マッサージアームによって装着され、前記肛門マッサージアセンブリの左側および右側または前側および後側に位置する、請求項１に記載の身体マッサージ機器。
【請求項１９】
前記括約筋マッサージヘッド（８、８’、８’’）が、前記括約筋マッサージアーム、前記肛門マッサージアセンブリ、および／または前記支持ホルダに対して適所に、脱離可能、交換可能、および／または調節可能である、請求項１８に記載の身体マッサージ機器。
【請求項２０】
前記肛門括約筋に接触するための前記括約筋マッサージヘッド（８、８’、８’’）の一部分が、平滑表面、ひだ状表面、顆粒状表面、凹凸表面、または調節可能な形状を有する表面であるように構成されている、請求項１８に記載の身体マッサージ機器。
【請求項２１】
前記括約筋マッサージヘッド（８、８’、８’’）が、単一材料で形成されているか、または前記括約筋マッサージヘッド（８、８’、８’’）が、ベース本体と、前記ベース本体の少なくとも一部の表面を覆う可撓性表面材料と、を備える、請求項１８に記載の身体マッサージ機器。
【請求項２２】
前記身体の陰茎への圧縮および／またはこすりマッサージを遂行するための、前記支持ホルダ上に装着された陰茎マッサージアセンブリをさらに備える、請求項１に記載の身体マッサージ機器。
【請求項２３】
前記陰茎マッサージアセンブリが、
前記支持ホルダ上に装着された陰茎マッサージアーム（７）と、
前記陰茎マッサージアーム（７）の一方の端部に装着された陰茎マッサージヘッド（６）であって、前記陰茎に圧縮力を及ぼし、それによって前記陰茎への圧縮マッサージを実施するため、および前記陰茎マッサージヘッド（６）に対する前記陰茎の移動と共に前記陰茎へのこすりマッサージを遂行するための、陰茎マッサージヘッド（６）と、を備える、請求項２２に記載の身体マッサージ機器。
【請求項２４】
前記陰茎マッサージアーム（７）が、前記支持ホルダ上に脱離可能および／または回転可能に装着されている、請求項２３に記載の身体マッサージ機器。
【請求項２５】
前記陰茎マッサージヘッド（６）が、前記陰茎マッサージアーム（７）に対して適所に、脱離可能、交換可能、および／または調節可能である、請求項２３に記載の身体マッサージ機器。
【請求項２６】
前記陰茎マッサージヘッド（６）が、少なくとも部分的に密閉された管状構造、または前記陰茎マッサージアーム（７）の長さ方向に沿って配置された複数の少なくとも部分的に密閉された環状構造（６．１）を備え、前記管状構造または前記環状構造（６．１）の中空部分が前記陰茎を受容するように構成されている、請求項２３に記載の身体マッサージ機器。
【請求項２７】
前記管状構造もしくは前記環状構造（６．１）が、弾性構造であるか、もしくは弾性材料製であるか、または
前記管状構造もしくは前記環状構造（６．１）の内壁が、弾性構造であるか、もしくは弾性材料製であるか、または
前記管状構造もしくは前記環状構造（６．１）の内壁が、前記陰茎の外側輪郭に実質的に一致する輪郭形状で構成されているか、または
前記管状構造もしくは前記環状構造（６．１）の全体もしくは内壁部分が、非弾性構造であるか、もしくは非弾性材料製である、請求項２６に記載の身体マッサージ機器。
【請求項２８】
前記管状構造または前記環状構造（６．１）が、可撓性マッサージクッション（６．２）と並べられており、前記陰茎と接触する前記可撓性マッサージクッションの内側表面が、平滑表面、ひだ状表面、顆粒状表面、または凹凸表面であるように構成されている、請求項２６に記載の身体マッサージ機器。
【請求項２９】
前記可撓性マッサージクッション（６．２）が、可撓性表面層と、可撓性フィラーと、を備え、前記可撓性フィラーが、前記可撓性表面層と前記管状構造または前記環状構造（６．１）の内壁との間に配設されている、請求項２８に記載の身体マッサージ機器。
【請求項３０】
前記身体の会陰部への圧縮および／またはこすりマッサージを遂行するための、前記支持ホルダ、前記肛門マッサージアセンブリ、および／または前記陰茎マッサージアセンブリ上に装着された会陰部マッサージアセンブリをさらに備える、請求項２２に記載の身体マッサージ機器。
【請求項３１】
前記会陰部マッサージアセンブリが、会陰部マッサージヘッド（５．１）と、選択的に設けられた会陰部マッサージアーム（５．３）と、を備え、前記会陰部マッサージヘッド（５．１）が、前記支持ホルダ、前記肛門マッサージアセンブリ、および／または前記陰茎マッサージアセンブリ上に直接または前記会陰部マッサージアーム（５．３）によって装着されている、請求項３０に記載の身体マッサージ機器。
【請求項３２】
前記会陰部マッサージアーム（５．３）および／または前記会陰部マッサージヘッド（５．１）は、前記会陰部マッサージヘッド（５．１）が前記会陰部に一致するように、様々な角度または形状で形成されるに従って折り曲げ可能である、請求項３１に記載の身体マッサージ機器。
【請求項３３】
前記会陰部マッサージヘッド（５．１）が、それによって直接装着された前記会陰部マッサージアーム（５．３）、前記支持ホルダ、前記肛門マッサージアセンブリ、および／または前記陰茎マッサージアセンブリに対して適所に、脱離可能、交換可能、および／または調節可能である、請求項３１に記載の身体マッサージ機器。
【請求項３４】
前記会陰部に接触するための前記会陰部マッサージヘッド（５．１）の一部分が、平滑表面、ひだ状表面、顆粒状表面、または凹凸表面であるように構成されている、請求項３１に記載の身体マッサージ機器。
【請求項３５】
前記会陰部マッサージヘッド（５．１）が、単一材料で一体的に形成されているか、または前記会陰部マッサージヘッド（５．１）が、ベース本体と、前記ベース本体の少なくとも一部の表面を覆う可撓性表面層材料と、を備える、請求項３１に記載の身体マッサージ機器。
【請求項３６】
前記門内部の前立腺への圧縮および／またはこすりマッサージを遂行するために前記肛門内へ挿入するための、前記支持ホルダ上に直接または前記肛門マッサージアセンブリによって装着された挿入タイプの前立腺マッサージ器をさらに備える、請求項１に記載の身体マッサージ機器。
【請求項３７】
前記身体の少なくとも脚および腰−臀部部分に着用可能で、前記支持ホルダを前記身体の前記下肢に固定するのを助けるように前記支持ホルダを支承する支承衣服をさらに備え、前記支承衣服がさらに、前記支持ホルダおよび前記支持ホルダ上に装着された様々なマッサージアセンブリを少なくとも部分的に包覆し、それによって様々なマッサージアセンブリが前記身体の対応する位置に接近するのを助ける、請求項１〜３６のいずれか一項に記載身体マッサージ機器。
【請求項３８】
前記支承衣服が、支承パンツ（９）であり、前記支承パンツ（９）の上側には、包覆サイズを調節するための腰ベルト、引きロープ、または弾性ロープを有する腰−臀部包覆部分（９．１）が設けられており、前記支承パンツ（９）の下側には、前記身体の前記大腿を包覆する脚包覆部分（９．２）が設けられており、両側の前記脚包覆部分（９．２）の間には股包覆部分が設けられており、その結果、前記腰−臀部包覆部分（９．１）、前記脚包覆部分（９．２）、および前記股包覆部分が前記支持ホルダを一緒に支承し、かつ前記支持ホルダおよび前記支持ホルダ上の様々なマッサージアセンブリを一緒に包覆する、請求項３７に記載の身体マッサージ機器。
【請求項３９】
前記股包覆部分には、滑沢剤およびマッサージ処理中に前記身体によって分泌される体液を収集するため、ならびに前記身体から前記滑沢剤および前記体液を隔離するための液体収集バッグ（９．３）がさらに設けられている、請求項３８に記載の身体マッサージ機器。
【請求項４０】
前記腰−臀部包覆部分（９．１）上にはベストバンド（９．５）が装着されており、前記ベストバンド（９．５）が、前記支承パンツ（９）の支承効果を助けるように、前記支持ホルダおよび前記支持ホルダ上に装着された様々なマッサージアセンブリに接続されている、請求項３８に記載の身体マッサージ機器。
【請求項４１】
前記支承パンツ（９）の前側には開口部（９．４）が設けられており、その結果、前記身体の陰茎が前記開口部（９．４）から突出する、請求項３８に記載の身体マッサージ機器。
【請求項４２】
前記肛門マッサージアセンブリが、前記支持ホルダ上に装着された肛門マッサージアーム（３）および前記肛門マッサージアーム（３）の一方の端部に装着されたマッサージヘッド（４）と、前記肛門マッサージアーム（３）上に装着された支持ロッド（３．７）または前記肛門マッサージアセンブリの前記肛門マッサージヘッド（４）と、を備え、前記支持ロッド（３．７）は、前記肛門マッサージヘッド（４）が前記支承パンツ（９）の支承部および前記支持ロッド（３．７）によって前記肛門および前記肛門周囲皮膚に当接するように、前記支承パンツ（９）の後側を支持する、請求項３８に記載の身体マッサージ機器。
【請求項４３】
前記支持ロッド（３．７）の端部にはプラグ（３．８）が設けられており、前記支承パンツ（９）の後側には支持および固定部分（９．６）が設けられており、前記支持および固定部分（９．６）には、前記プラグ（３．８）と嵌合可能な複数のプラグ固定穴が設けられており、前記プラグ（３．８）が、前記支持ロッド（３．７）の固定位置を調節するように、前記プラグ固定穴のいずれか１つに選択的に差し込まれる、請求項４２に記載の身体マッサージ機器。
【請求項４４】
自動マッサージを実現するように前記マッサージアセンブリ装着ブラケット（１）上に装着された様々なマッサージアセンブリを駆動するための電気、空気、または油圧駆動機構をさらに備える、請求項２に記載の身体マッサージ機器。
【請求項４５】
請求項１〜４４のいずれか一項に記載の身体マッサージ機器を操作する方法であって、
前記支持ホルダを身体の下肢に装着し、前記肛門マッサージアセンブリを前記身体の肛門の位置に当接させることと、
前記身体によって遂行された所定の反復動作によって、前記肛門マッサージアセンブリに前記身体の前記肛門および前記肛門周囲皮膚への圧縮および／またはこすりマッサージを遂行させることと、を含む、方法。
【請求項４６】
前記所定の反復動作が、前記身体の起立状態での腰または膝の反復された屈曲および伸展動作である、請求項４５に記載の操作方法。
【請求項４７】
前記支持ホルダが、前記身体の脚を挟持および固定するための脚挟持構造（２）と、様々なマッサージアセンブリを装着するための、前記脚挟持構造（２）上に装着されたマッサージアセンブリ装着ブラケット（１）と、を備え、前記操作方法が、
前記支持ホルダが前記身体の前記脚に装着されると、前記マッサージアセンブリ装着ブラケット（１）上に装着された前記様々なマッサージアセンブリを前記身体の対応する位置に当接させることと、
前記身体が所定の反復動作を遂行するときに、前記様々なマッサージアセンブリに、前記身体の対応する位置への圧縮および／またはこすりマッサージを遂行させることと、をさらに含む、請求項４５に記載の操作方法。
【請求項４８】
前記身体マッサージ機器が、電気、空気、または油圧駆動機構をさらに備え、前記操作方法が、
前記マッサージアセンブリ装着ブラケット（１）上に装着された様々なマッサージアセンブリが前記身体の対応する位置に当接した後に、前記電気、空気、または油圧駆動機構を起動し、それによって前記マッサージアセンブリ装着ブラケット（１）の様々なマッサージアセンブリを駆動させて自動マッサージを実施することをさらに含む、請求項４７に記載の操作方法。
【請求項４９】
前記身体マッサージ機器が、支承衣服をさらに備え、前記操作方法が、
前記マッサージアセンブリ装着ブラケット（１）上に装着された様々なマッサージアセンブリを前記身体の対応する位置に当接させた後に、前記支承衣服を前記身体の脚および腰−臀部部位に着用し、それによって前記支持ホルダを前記支承衣服によって支承し、前記支持ホルダおよび前記支持ホルダ上に装着された様々なマッサージアセンブリを少なくとも部分的に包覆することをさらに含む、請求項４７に記載の操作方法。
【発明の詳細な説明】
【技術分野】
【０００１】
本開示は、性的ヘルスケアおよび身体の性的慰みの分野に関し、特に、身体マッサージ機器およびその操作方法に関する。
【背景技術】
【０００２】
性的興奮、性的快感、オルガズム、および関連する射精を引き起こすように身体を刺激することができる大量の神経線維は、陰茎および肛門などの男性の主な生殖器、ならびに肛門括約筋、肛門周囲エリアの皮膚、前立腺、会陰部、およびこれらの周りの股などのエリアに集中しているため、これらの神経線維を自慰または相手との性交によって刺激し、それによって激しい性的快感およびオルガズムをさらに得ることができる。同様に、これらの性的神経に富む身体部分をマッサージすることによって、男性に性的快感およびオルガズムをもたらすことができ、同時に、男性の性的機能のヘルスケア効果を達成することもできる。
【０００３】
現在、慰み、ヘルスケア、または補助治療のための多数の身体マッサージ器具が市場に現れており、その大部分は、相手との性交中に性的快感を生成するように陰茎が直接刺激されるという原理を参照することによって、自慰カップ、刺激型膣などの様々な形態を含む、摺動、押圧、または振動することによって陰茎を刺激するために生成された自慰器具である。これらのマッサージ器具はある程度の刺激効果を達成することができるが、かかる方法で生成された刺激効果は比較的退屈であり、興奮の持続時間が短い。一方、これらの自慰器具は、多くの場合、ユーザの片手または両手によって保持または駆動される必要があり、したがって、ユーザは長時間操作のために疲れやすいことがある。
【０００４】
陰茎のための自慰器具に加えて、現在、肛門に刺激を及ぼすための自慰マッサージ器具も存在する。不完全なタイプを有するかかるマッサージ器具は、典型的には、挿入方法で使用される。つまり、前立腺が、主な刺激方法、例えば、肛門プラグ、前立腺マッサージ器などの様々な形態として、肛門内に挿入された自慰器具によって押圧または摩擦にさらされる。肛門のためのかかるマッサージ器具は肛門内に挿入される必要があるため、難しい操作を伴い、その結果、非常に激しい刺激効果を得ることは難しく、使用中にオルガズムは容易に達成されない。加えて、肛門内に挿入する方法の場合、ユーザは安全性および衛生上の懸念をいだく傾向がある。同様に、かかるマッサージ器具はまた、ユーザが長時間操作のために疲れやすいという問題を有する。
【発明の概要】
【課題を解決するための手段】
【０００５】
これを考慮して、本開示は、既存のマッサージ器具とは異なる刺激効果を提供し、かつユーザを使用中に疲れにくくさせることができる身体マッサージ機器およびその操作方法を提示する。
【０００６】
本開示の一態様によれば、身体の下肢に脱離可能に装着される支持ホルダと、身体の肛門および肛門周囲皮膚への圧縮および／またはこすりマッサージのための、支持ホルダ上に装着された肛門マッサージアセンブリとを含む身体マッサージ機器が提供される。
【０００７】
いくつかの実施形態では、支持ホルダは、身体の脚を挟持および固定するための脚挟持構造と、様々なマッサージアセンブリを装着するための、脚挟持構造上に装着されたマッサージアセンブリ装着ブラケットとを含む。
【０００８】
いくつかの実施形態では、脚挟持構造は、身体の大腿の前側および後側に圧縮力を及ぼすことによる挟持および固定のための、線形形状、曲線形形状、またはひだ状形状に並置された一対の側方アームの少なくとも１つの列を含む。
【０００９】
いくつかの実施形態では、脚挟持構造は、挟持および固定のための圧縮力を及ぼしながら、身体の大腿にスリーブのように構成される少なくとも一組の密閉された固定バンドを含む。
【００１０】
いくつかの実施形態では、脚挟持構造は、少なくとも一組の側方アームと固定バンドとを含み、それによって側方アームの端部を固定バンドに接続して、密閉されたアームバンドアセンブリを形成し、密閉されたアームバンドアセンブリは、挟持および固定のための圧縮力を及ぼしながら、身体の大腿にスリーブのように構成される。
【００１１】
いくつかの実施形態では、脚挟持構造が身体の脚を挟持および固定すると、マッサージアセンブリ装着ブラケットは、身体の両脚の間に位置決めされ、その結果、身体の脚が所定の動作を遂行するときに、マッサージアセンブリ装着ブラケット上に装着されたマッサージアセンブリが脚の運動と共に身体に対して移動する。
【００１２】
いくつかの実施形態では、一対の側方アームの間の距離は、異なる身体の脚のサイズまたは身体の異なる脚の部分に適合するように調節可能であるように構成されている。
【００１３】
いくつかの実施形態では、肛門マッサージアセンブリは、支持ホルダ上に装着された肛門マッサージアームと、肛門マッサージアームの一方の端部に装着され、肛門マッサージアームの効果の下、肛門部分に圧縮力を及ぼし、それによって肛門および肛門周囲皮膚への圧縮マッサージを実施するように構成されており、かつ肛門マッサージアーム上の肛門マッサージヘッドの移動、または肛門マッサージアームの移動に伴う肛門マッサージヘッドの移動によって肛門および肛門周囲皮膚へのこすりマッサージを遂行するように構成されている肛門マッサージヘッドとを含む。
【００１４】
いくつかの実施形態では、肛門マッサージアームは、支持ホルダ上に設けられた回転シャフトディスクによって支持ホルダに回転可能に接続されており、肛門マッサージアームと支持ホルダとの間に設けられた弾性要素が、肛門マッサージアームに向かってトルクを及ぼし、その結果、肛門マッサージヘッドが肛門および肛門周囲皮膚を圧縮するように構成されている。
【００１５】
いくつかの実施形態では、弾性要素は、回転シャフトディスク内に設けられたねじりばね、または支持ホルダと肛門マッサージアームとの間に設けられたばね、もしくは回転シャフトディスクと肛門マッサージアームとの間に設けられたばねである。
【００１６】
いくつかの実施形態では、弾性要素の弾性力は、調節可能である。
【００１７】
いくつかの実施形態では、回転シャフトディスクの外側には保護ハウジングが設けられている。
【００１８】
いくつかの実施形態では、肛門マッサージヘッドは、肛門マッサージアームに対して適所に、脱離可能、交換可能、および／または調節可能である。
【００１９】
いくつかの実施形態では、肛門マッサージヘッドは、単一材料で一体的に形成されているか、または肛門マッサージヘッドは、ベース本体と、ベース本体の少なくとも一部の表面を覆う可撓性表面層材料とを含む。
【００２０】
いくつかの実施形態では、肛門および肛門周囲皮膚に接触するための肛門マッサージヘッドの一部分は、平滑表面、ひだ状表面、顆粒状表面、凹凸表面、または調節可能な形状を有する表面であるように構成されている。
【００２１】
いくつかの実施形態では、肛門マッサージヘッドに連続的な振動効果を生成させるための、肛門マッサージアームまたは肛門マッサージヘッド上に設けられた振動モータをさらに含む。
【００２２】
いくつかの実施形態では、肛門マッサージアームは、一方の端部が肛門マッサージヘッドに接続されている伸縮ロッドと、肛門マッサージヘッドが滑動性刺激を肛門および肛門周囲皮膚に及ぼすように、伸縮ロッドを駆動させて伸縮動作を遂行するための伸縮駆動機構とを含む。
【００２３】
いくつかの実施形態では、括約筋マッサージヘッドと、選択的に設けられた括約筋マッサージアームとをさらに含み、括約筋マッサージヘッドは、肛門括約筋への圧縮および／またはこすりマッサージを遂行するために、肛門マッサージアセンブリおよび／もしくは支持ホルダ上に直接または括約筋マッサージアームによって装着され、肛門マッサージアセンブリの左側および右側または前側および後側に位置する。
【００２４】
いくつかの実施形態では、括約筋マッサージヘッドは、括約筋マッサージアーム、肛門マッサージアセンブリ、および／または支持ホルダに対して適所に、脱離可能、交換可能、および／または調節可能である。
【００２５】
いくつかの実施形態では、肛門括約筋に接触するための括約筋マッサージヘッドの一部分は、平滑表面、ひだ状表面、顆粒状表面、凹凸表面、または調節可能な形状を有する表面であるように構成されている。
【００２６】
いくつかの実施形態では、括約筋マッサージヘッドは、単一材料で形成されているか、または括約筋マッサージヘッドは、ベース本体と、ベース本体の少なくとも一部の表面を覆う可撓性表面材料とを含む。
【００２７】
いくつかの実施形態では、身体の陰茎への圧縮および／またはこすりマッサージを遂行するための、支持ホルダ上に装着された陰茎マッサージアセンブリをさらに含む。
【００２８】
いくつかの実施形態では、陰茎マッサージアセンブリは、支持ホルダ上に装着された陰茎マッサージアームと、陰茎に圧縮力を及ぼし、それによって陰茎への圧縮マッサージを実施するため、および陰茎マッサージヘッドに対する陰茎の移動と共に陰茎へのこすりマッサージを遂行するための、陰茎マッサージアームの一方の端部に装着された陰茎マッサージヘッドとを含む。
【００２９】
いくつかの実施形態では、陰茎マッサージアームは、支持ホルダ上に脱離可能および／または回転可能に装着されている。
【００３０】
いくつかの実施形態では、陰茎マッサージヘッドは、陰茎マッサージアームに対して適所に、脱離可能、交換可能、および／または調節可能である。
【００３１】
いくつかの実施形態では、陰茎マッサージヘッドは、少なくとも部分的に密閉された管状構造、または陰茎マッサージアームの長さ方向に沿って配置された複数の少なくとも部分的に密閉された環状構造を備え、管状構造または環状構造の中空部分が陰茎を受容するように構成されている。
【００３２】
いくつかの実施形態では、管状構造もしくは環状構造は、弾性構造であるか、もしくは弾性材料製であるか、または状構造もしくは環状構造の内壁は、弾性構造であるか、もしくは弾性材料製であるか、または管状構造もしくは環状構造の内壁は、陰茎の外側輪郭に実質的に一致する輪郭形状で構成されているか、または管状構造もしくは環状構造の全体もしくは内壁部分は、非弾性構造であるか、もしくは非弾性材料製である。
【００３３】
いくつかの実施形態では、管状構造または環状構造は、可撓性マッサージクッションと並べられており、陰茎と接触する可撓性マッサージクッションの内側表面は、平滑表面、ひだ状表面、顆粒状表面、または凹凸表面であるように構成されている。
【００３４】
いくつかの実施形態では、可撓性マッサージクッションは、可撓性表面層と、可撓性フィラーとを含み、可撓性フィラーは、可撓性表面層と管状構造または環状構造の内壁との間に配設されている。
【００３５】
いくつかの実施形態では、身体の会陰部への圧縮および／またはこすりマッサージを遂行するための、支持ホルダ、肛門マッサージアセンブリ、および／または陰茎マッサージアセンブリ上に装着された会陰部マッサージアセンブリをさらに含む。
【００３６】
いくつかの実施形態では、会陰部マッサージアセンブリは、会陰部マッサージヘッドと、選択的に設けられた会陰部マッサージアームとを含み、会陰部マッサージヘッドは、支持ホルダ、肛門マッサージアセンブリ、および／または陰茎マッサージアセンブリ上に直接または会陰部マッサージアームによって装着されている。
【００３７】
いくつかの実施形態では、会陰部マッサージアームおよび／または会陰部マッサージヘッドは、会陰部マッサージヘッドが会陰部に一致するように、様々な角度または形状を形成するに従って折り曲げ可能である。
【００３８】
いくつかの実施形態では、会陰部マッサージヘッドは、それによって直接装着された会陰部マッサージアーム、支持ホルダ、肛門マッサージアセンブリ、および／または陰茎マッサージアセンブリに対して適所に、脱離可能、交換可能、および／または調節可能である。
【００３９】
いくつかの実施形態では、会陰部に接触するための会陰部マッサージヘッドの一部分は、平滑表面、ひだ状表面、顆粒状表面、または凹凸表面であるように構成されている。
【００４０】
いくつかの実施形態では、会陰部マッサージヘッドは、単一材料で一体的に形成されているか、または会陰部マッサージヘッドは、ベース本体と、ベース本体の少なくとも一部の表面を覆う可撓性表面層材料とを含む。
【００４１】
いくつかの実施形態では、肛門内部の前立腺への圧縮および／またはこすりマッサージを遂行するために肛門内へ挿入するための、支持ホルダ上に直接または肛門マッサージアセンブリによって装着された挿入タイプの前立腺マッサージ器をさらに含む。
【００４２】
いくつかの実施形態では、身体の少なくとも脚および腰−臀部部分に着用可能で、支持ホルダを身体の下肢に固定するのを助けるように支持ホルダを支承する支承衣服をさらに含み、支承衣服はさらに、支持ホルダおよび支持ホルダ上に装着された様々なマッサージアセンブリを少なくとも部分的に包覆し、それによって様々なマッサージアセンブリが身体の対応する位置に接近するのを助ける。
【００４３】
いくつかの実施形態では、支承衣服は、支承パンツであり、支承パンツの上側には、包覆サイズを調節するための腰ベルト、引きロープ、または弾性ロープを有する腰−臀部包覆部分が設けられており、支承パンツの下側には、身体の大腿を包覆する脚包覆部分が設けられており、両側の脚包覆部分の間には股包覆部分が設けられており、その結果、腰−臀部包覆部分、脚包覆部分、および股包覆部分が支持ホルダを一緒に支承し、かつ支持ホルダおよび支持ホルダ上の様々なマッサージアセンブリを一緒に包覆する。
【００４４】
いくつかの実施形態では、股包覆部分には、滑沢剤およびマッサージ処理中に身体によって分泌される体液を収集するため、ならびに身体から滑沢剤および体液を隔離するための液体収集バッグが設けられている。
【００４５】
いくつかの実施形態では、腰−臀部包覆部分の上にはベストバンドが装着されており、ベストバンドは、支承パンツの支承効果を助けるように、支持ホルダおよび支持ホルダ上に装着された様々なマッサージアセンブリに接続されている。
【００４６】
いくつかの実施形態では、支承パンツの前側には開口部が設けられており、その結果、身体の陰茎が開口部から突出する。
【００４７】
いくつかの実施形態では、肛門マッサージアセンブリは、支持ホルダ上に装着された肛門マッサージアームおよび肛門マッサージアームの一方の端部に装着されたマッサージヘッドと、肛門マッサージアーム上に装着された支持ロッドまたは肛門マッサージアセンブリの肛門マッサージヘッドとを含み、支持ロッドは、肛門マッサージヘッドが支承パンツの支承部および支持ロッドによって肛門および肛門周囲皮膚に当接するように、支承パンツの後側を支持する。
【００４８】
いくつかの実施形態では、支持ロッドの端部にはプラグが設けられており、支承パンツの後側には支持および固定部分が設けられており、支持および固定部分には、プラグと嵌合可能な複数のプラグ固定穴が設けられており、プラグは、支持ロッドの固定位置を調節するように、プラグ固定穴のいずれか１つに選択的に差し込まれる。
【００４９】
いくつかの実施形態では、自動マッサージを実現するようにマッサージアセンブリ装着ブラケット上に装着された様々なマッサージアセンブリを駆動させるための電気、空気、または油圧駆動機構をさらに含む。
【００５０】
本開示の別の態様によれば、前述の身体マッサージ機器に基づく操作方法であって、支持ホルダを身体の下肢に装着し、肛門マッサージアセンブリを身体の肛門の位置に当接させることと、身体によって遂行された所定の反復動作によって、肛門マッサージアセンブリに身体の肛門および肛門周囲皮膚への圧縮および／またはこすりマッサージを遂行させることとを含む、方法が提供される。
【００５１】
いくつかの実施形態では、所定の反復動作は、身体の起立状態での腰または膝の反復された屈曲および伸展動作である。
【００５２】
いくつかの実施形態では、支持ホルダは、身体の脚を挟持および固定するための脚挟持構造と、様々なマッサージアセンブリを装着するための、脚挟持構造上に装着されたマッサージアセンブリ装着ブラケットとを含み、操作方法は、支持ホルダが身体の脚に装着されると、マッサージアセンブリ装着ブラケット上に装着された様々なマッサージアセンブリを身体の対応する位置に当接させることと、身体が所定の反復動作を遂行するときに、様々なマッサージアセンブリに、身体の対応する位置への圧縮および／またはこすりマッサージを遂行させることとをさらに含む。
【００５３】
いくつかの実施形態では、身体マッサージ機器は、電気、空気、または油圧駆動機構をさらに含み、操作方法は、マッサージアセンブリ装着ブラケット上に装着された様々なマッサージアセンブリが身体の対応する位置に当接した後に、電気、空気、または油圧駆動機構を起動し、それによってマッサージアセンブリ装着ブラケットの様々なマッサージアセンブリを駆動させて自動マッサージを実施することをさらに含む。
【００５４】
いくつかの実施形態では、身体マッサージ機器は、支承衣服をさらに含み、操作方法は、マッサージアセンブリ装着ブラケット上に装着された様々なマッサージアセンブリを身体の対応する位置に当接させた後に、支承衣服を身体の脚および腰−臀部部位に着用し、それによって支持ホルダを支承衣服によって支承し、支持ホルダおよび支持ホルダ上に装着された様々なマッサージアセンブリを少なくとも部分的に包覆することをさらに含む。
【００５５】
したがって、本開示の実施形態によれば、支持ホルダであって、身体マッサージ機器を身体の下肢に装着し、肛門および肛門周囲皮膚に密に分布する性的に敏感な神経を刺激するように、支持ホルダ上に装着された肛門マッサージアセンブリによって身体の肛門および肛門周囲皮膚への圧縮および／またはこすりマッサージを遂行し、その結果、ユーザが、本開示の身体マッサージ機器を使用するときに、既存の陰茎自慰器具または前立腺を刺激するための挿入型マッサージ器具とは異なる刺激効果を得ることができる、支持ホルダが提供される。さらに、身体の下肢に装着される身体マッサージ機器は着用可能なマッサージ器具と同等であり、それを長時間にわたりユーザが保持する必要がないので、使用中ユーザは疲れにくい。
【００５６】
本明細書に記載される図面は、本開示のさらなる理解を提供し、本出願の一部を構成するために使用される。本開示を説明するために使用される本開示の例示的な実施形態およびこれらの説明は、本開示に関する不適切な定義を構成するものではない。?
【図面の簡単な説明】
【００５７】
【図１】本開示による身体マッサージ機器のいくつかの実施形態による概略構造図である。
【図２】図１の実施形態の概略斜視図である。
【図３】本開示による身体マッサージ機器のいくつかの実施形態において提供される保護ハウジングの概略構造図である。
【図４】本開示による身体マッサージ機器のいくつかの実施形態による後方肛門マッサージアーム上に装着された可変形状の肛門マッサージヘッドおよび会陰部マッサージヘッドの概略構造図である。
【図５】本開示による身体マッサージ機器のいくつかの実施形態による後方肛門マッサージアーム上に装着された平滑表面を有する肛門マッサージヘッドおよび括約筋マッサージヘッドの概略構造図である。
【図６】本開示による身体マッサージ機器のいくつかの実施形態による後方肛門マッサージアーム上に装着された凹凸表面を有する肛門マッサージヘッドの概略構造図である。
【図７】本開示による身体マッサージ機器のいくつかの実施形態による後方肛門マッサージアーム上に装着されたひだ状表面を有する肛門マッサージヘッドの概略構造図である。
【図８】本開示による身体マッサージ機器のいくつかの実施形態による後方肛門マッサージアーム上に装着された顆粒状表面を有する肛門マッサージヘッドの概略構造図である。
【図９】本開示による身体マッサージ機器のいくつかの実施形態による後方肛門マッサージアーム上に装着された円形突出部を有する肛門マッサージヘッドの概略構造図である。
【図１０】本開示による身体マッサージ機器のいくつかの実施形態による後方肛門マッサージアーム上に装着された可変形状の肛門マッサージヘッド、会陰部マッサージヘッド、および括約筋マッサージヘッドの概略構造図である。
【図１１】本開示による身体マッサージ機器のいくつかの実施形態による肛門マッサージアーム、回転シャフトディスク、およびマッサージアセンブリ装着ブラケットのうちの弾性要素の装着構造の概略図である。
【図１２】本開示による身体マッサージ機器のいくつかの実施形態による肛門マッサージアーム、回転シャフトディスク、およびマッサージアセンブリ装着ブラケットのうちの別の弾性要素の装着構造の概略図である。
【図１３】本開示による身体マッサージ機器のいくつかの実施形態による後方肛門マッサージアーム上に装着された可変形状の肛門マッサージヘッドおよび可変形状の括約筋マッサージヘッドの概略構造図である。
【図１４】本開示による身体マッサージ機器のいくつかの実施形態による支承衣服の概略構造図である。
【図１５】本開示による身体マッサージ機器のいくつかの実施形態による肛門マッサージヘッドの支持ロッドを備える装着構造の概略図である。
【発明を実施するための形態】
【００５８】
図面に示される様々な部分の寸法は、実際の比例関係に従って描かれていないことを理解されたい。加えて、同じまたは同様の参照番号は、同じまたは同様の部材を示す。
【００５９】
本開示の様々な例示的な実施形態を、添付の図面を参照してここで詳細に説明する。単に説明的なものである例示的な実施形態の説明は、決して本開示およびその適用または使用についてのいかなる限界としても機能しない。本開示は、本明細書に記載される実施形態に限定されない多くの異なる形態で具体化されてもよい。これらの実施形態は、本開示が完璧かつ完全であり、当業者に本開示の範囲を適切に提示するように提供される。別様に特定されない限り、これらの実施形態で詳説される構成要素の相対的な配置およびステップは、限界としてではなく単なる例示として解釈されるべきであることに留意されたい。
【００６０】
本開示で使用される「第１の」、「第２の」という単語、および同様の単語は、いずれの順序、数量、または重要性も示さず、単に異なる部分を区別するように機能するためのものである。「含む（ｃｏｍｐｒｉｓｉｎｇ／ｉｎｃｌｕｄｉｎｇ）」または「含有する（ｃｏｎｔａｉｎｉｎｇ）」などの同様の単語は、当該単語に先行する要素が単語の後に列挙される要素を包含し、他の要素も包含する可能性を排除しないことを意味する。「上」、「下」、「左」、「右」などは、相対的な位置関係を提示するためにのみ使用され、これらはまた、説明される物体の絶対位置に対して変更がなされるときに対応して変更される可能性があるかもしれない。
【００６１】
本開示では、特定の機器が第１の機器と第２の機器との間に位置すると記載される場合、その特定の機器と第１の機器または第２の機器との間に中間機器が存在してもよく、代替的に中間機器が存在しなくてもよい。特定の機器が他の機器に接続されると記載される場合、その特定の機器は、中間機器なしで前述の他の機器に直接接続されてもよく、代替的に前述の他の機器に直接接続されないが、中間機器と接続されてもよい。
【００６２】
本開示で使用されるすべての用語（技術的および科学的用語を含む）は、別様に定義されない限り、本開示の当業者によって理解されるのと同じ意味を有する。また、例えば、汎用辞書に定義されている用語は、ここで明示的に、したがって定義されない限り、理想化されるかまたは極度に形式化された意味で解釈されるのではなく、関連技術の文脈における意味と矛盾しない意味を有するように解釈されるべきである。
【００６３】
関連技術の一般的な技術者には既知の技法、方法、および機器は詳細に論じられないかもしれないが、適切な場合には、これらの技法、方法、および機器は説明の一部として考慮されるべきである。
【００６４】
図１に示されるように、本開示による身体マッサージ機器のいくつかの実施形態による概略構造図である。図２に示される斜視図も参照すると、本実施形態の身体マッサージ機器は、支持ホルダと肛門マッサージアセンブリとを含む。身体の肛門および肛門周囲皮膚への圧縮および／またはこすりマッサージのために、これらのうち、支持ホルダは身体の下肢に脱離可能に装着され、肛門マッサージアセンブリは支持ホルダ上に装着される。
【００６５】
支持ホルダは、身体マッサージ機器のための少なくとも１つの機能を備えて提示される。つまり、その固定効果を身体に対して達成するように、身体の下肢に脱離可能に装着される。この固定効果は、身体が立っているときに身体マッサージ機器が身体から容易に外れず、その結果、この意味で身体マッサージ機器が身体に着用されることを可能にし得る。身体が膝を折り曲げるかもしくは腰を折り曲げるか、または歩行するときに、肛門マッサージアセンブリは、肛門および肛門周囲皮膚に対して移動可能または揺動可能であり、それによって肛門および肛門周囲皮膚に対して摺動こすり効果を生成する。これらの所定の動作を行うことによって、ユーザは身体の様々な性的に敏感なエリアの中で移動または揺動するように、支持ホルダ上に装着された様々なマッサージアセンブリを促し、それによって身体の様々な性的に敏感なエリアへのスリップ摩擦を遂行することができる。
【００６６】
肛門マッサージアセンブリは主に、身体の肛門および肛門周囲皮膚への圧縮および／またはこすりマッサージを対象とする。この方法は、ユーザが肛門から身体空洞内にマッサージヘッドを挿入することを必要としないため、使用がより安全で衛生的であり、使用中のユーザの心配も少ない。さらに、肛門および肛門周囲皮膚には性的に敏感な神経が密に分布しているため、圧縮およびこすりマッサージの方法のマッサージは、ユーザが既存の陰茎自慰器具または前立腺を刺激するための挿入型マッサージ器具とは異なる刺激効果を得ることを可能にし得る。
【００６７】
加えて、いくつかの自慰マッサージ器具も肛門をマッサージする機能を保有するが、これらは通常、特定のプラットフォームまたは地面の上に固定される必要があり、ユーザは自身の膝を器具の上に置く必要があるため、使用中、非常に不便である。さらに、ユーザは長時間にわたり膝立ちの姿勢を維持する際に疲れやすいため、操作感覚に影響を与える。さらに、本実施形態の肛門マッサージアセンブリは、支持ホルダを身体に対して固定することによって支持ホルダ上に装着されるため、それをユーザが長い間手で保持することを必要とせずに、長時間にわたって肛門および肛門周囲皮膚を刺激することも可能であり、その結果、ユーザは使用中に疲れにくい。
【００６８】
図１および２では、支持ホルダは主に２つの部分を含み、一方の部分は脚挟持構造２であり、他方の部分はマッサージアセンブリ装着ブラケット１である。脚挟持構造２は、身体の脚を挟持および固定するために使用される。先に述べられるように、支持ホルダは、選択的に脚部分、特に大腿部分である部分で身体の下肢に対して固定される。特定の支持および固定形態によれば、他の実施形態では、支持ホルダはまた、ふくらはぎもしくは足首に固定されてもよいし、または同時に大腿とふくらはぎとに固定されてもよい。
【００６９】
脚挟持構造２は、特に、身体の大腿の前側と後側に同時に力を及ぼすことによって挟持および固定を遂行するための、線形形状、曲線形形状、またはひだ状形状に並置された一対の側方アームの少なくとも１つの列を含む。図１から見ることができるように、図１において前後に位置する一対の側方アームは両方ともまっすぐな線形形状である。ユーザが脚挟持構造２を装着する場合、一対の側方アームの間の空間に脚を通過させる必要があり、脚挟持構造２は、皮膚の摩擦力および脚の筋肉の弾性を利用することによって、脚に対して固定されるように維持される。
【００７０】
ユーザの脚の異なる寸法比またはユーザによって選択された異なる装着位置を考慮すると、一対の側方アームの間の距離をこれらの間で調節することを可能にし、それによって異なる身体の脚または身体の異なる脚の部分の寸法に適合し、脚を挟持する際の強度を制御することが可能である。他の実施形態では、複数の位置で脚を挟持および固定するように、より多くの数の側方アーム、例えば、高さ方向に沿って設けられた２つ以上の列の対の側方アームが存在してもよい。脚挟持構造２の側方アームの形状はまた、脚の筋肉を圧縮する側方アームから生じる不快な感覚を低減するように、身体の脚の曲線に適合する曲線形状またはひだ状形状であってもよい。
【００７１】
本開示による身体マッサージ機器のさらなる実施形態では、脚挟持構造はまた、脚を挟持および固定する効果を実現するように大腿に圧縮力を及ぼしながら、身体の大腿にスリーブのように付けることができるループ構造と同等の少なくとも一組の密閉された固定バンドを含み得る。固定バンドは、弾性もしくは非弾性ロープであっても、または弾性もしくは非弾性バンドであってもよい。使用中、ユーザは、大腿と好適な部分に締結されるまで、固定バンドによって形成された密閉された中空エリアに大腿を直接通過させることができ、結合またはバックル留めの方法で脚への固定を遂行することもできる。
【００７２】
さらなる実施形態では、脚挟持構造は、少なくとも一組の側方アームと固定バンドとを含み、それによって側方アームの端部を固定バンドに接続して、密閉されたアームバンドアセンブリを形成することができ、アームバンドアセンブリは、挟持および固定のための圧縮力を及ぼしながら、身体の大腿にスリーブのように構成される。側方アームは大腿の前側または後側に配設され得、これに対応して固定バンドは大腿の反対側に固定され得る。固定バンドは、弾性もしくは非弾性ロープであっても、または弾性もしくは非弾性バンドであってもよい。使用中、ユーザは、大腿と好適な部分に締結されるまで、固定バンドおよび側方アームによって形成された密閉された中空エリアに大腿を直接通過させることができ、結合またはバックル留めの方法で脚への固定を遂行することもできる。
【００７３】
マッサージアセンブリ装着ブラケット１は、脚挟持構造２上に装着されている。その構造は、図１に示されるように、まっすぐなロッドであり得る。脚挟持構造２の一対の側方アームは、脚挟持構造２が身体の脚を挟持するときにマッサージアセンブリ装着ブラケット１が身体の両脚の間に位置決めされるように、マッサージアセンブリ装着ブラケット１の両端部に垂直に配設されている。このように、脚が所定の動作を遂行する際に、マッサージアセンブリ装着ブラケット１上に装着されたマッサージアセンブリは、脚の運動と共に身体に対して移動し得る。
【００７４】
（部分的に開いたバヨネットでもあり得る）複数の装着穴１．１をマッサージアセンブリ装着ブラケット１上に設けることができ、必要に応じて、脚挟持構造２の側方アームを対応する装着穴１．１の中に挿入し、それによって側方アームの間の距離を調節することができる。さらに、マッサージアセンブリ装着ブラケット１に対して前後の側方アームの位置を調節することによって、身体に対して様々なマッサージアセンブリのマッサージ位置を調節することも可能である。かかる別々の装着穴の調節構造に加えて、本開示による身体マッサージ機器はまた、脚挟持構造２の位置がマッサージアセンブリ装着ブラケット１に対して連続的に調節可能であるような構造で提供されてもよい。例えば、脚挟持構造２の側方アーム上にはスリーブまたは摺動ブロックが設けられており、マッサージアセンブリ装着ブラケット１上に配設されたガイドレール上でのスリーブまたは摺動ブロックの摺動をロック解除およびロックすることによって位置調節が実現される。
【００７５】
マッサージアセンブリ装着ブラケット１は、様々なマッサージアセンブリを装着するために使用される。上に記載される肛門マッサージアセンブリに加えて、ここでマッサージアセンブリはまた、陰茎、会陰部、および括約筋などの複数の性的に敏感な部分を対象とするマッサージアセンブリを含み得る。異なる敏感な部分をマッサージするために使用されるこれらのマッサージアセンブリは、必要に応じて任意に選択され、組み合わされてもよい。これらのマッサージアセンブリの特定の形態および機能を以下に記載し、ここでは繰り返さない。様々なマッサージアセンブリの使用中に、時宜を得て滑沢剤を追加して、マッサージアセンブリが身体の皮膚と接触する部分の十分な潤沢を確保することは任意選択である。
【００７６】
肛門マッサージアセンブリの異なる形態が図４〜９に示されており、肛門マッサージアセンブリは、肛門マッサージアーム３と肛門マッサージヘッド４とを含む。肛門マッサージアーム３は、支持ホルダ上に装着されている。特に、肛門マッサージアーム３は、マッサージアセンブリ装着ブラケット１上に装着され得、かつマッサージアセンブリ装着ブラケット１に対して固定され得るか、または肛門マッサージヘッド４のマッサージ機能に従ってマッサージアセンブリ装着ブラケット１に回転可能に接続されるかもしくは可撓可能に接続され得る。
【００７７】
肛門マッサージアーム３の一方の端部に装着された肛門マッサージヘッド４は、肛門マッサージアーム３の動作の下、肛門部分に圧縮力を及ぼし、それによって肛門および肛門周囲皮膚への圧縮マッサージを実施するように構成されており、かつ肛門マッサージアーム３上の肛門マッサージヘッド４の移動、または肛門マッサージアーム３の移動に伴う肛門マッサージヘッド４の移動によって肛門および肛門周囲皮膚へのこすりマッサージを遂行するように構成されている。
【００７８】
支持ホルダ内の肛門マッサージアーム３とマッサージアセンブリ装着ブラケット１との間の回転可能な接続については、図１を参照すると、回転シャフトディスク３．１をマッサージアセンブリ装着ブラケット１上に設けることができ、回転シャフトディスク３．１を介して、肛門マッサージアーム３を支持ホルダに回転可能に接続することができる。肛門マッサージヘッド４が肛門および肛門周囲皮膚を密接に圧縮することを可能にするために、肛門マッサージアーム３とマッサージアセンブリ装着ブラケット１との間に弾性要素も設けられている。
【００７９】
図１１に示されるように、弾性要素は、回転シャフトディスク３．１の内部に配設され得るねじりばね３．４を使用することができる。回転シャフトディスク３．１の移動可能な板は肛門マッサージアーム３と固定して配設され、静止板はマッサージアセンブリ装着ブラケット１と固定して配設されている。ねじりばね３．４は、静止板のねじりばね制限穴３．５内に接続された一方の端部と、移動可能な板のねじりばね制限穴３．６内に接続された他方の端部とを有する。ユーザが弾性要素の弾性力を調節することによってユーザ自身にフィットする圧縮圧力を得ることができるように、弾性要素の弾性力を調節することができる。図面から見ることができるように、回転シャフトディスク３．１は、ねじりばね３．４の両方の端部がプリロードのニーズに応じて静止板および移動可能な板上の異なるねじりばね制限穴の中に接続され得るように、複数のねじりばね制限穴を備え、それによって異なる大きさのねじり力を提供する。
【００８０】
弾性要素の効果の下、肛門マッサージアーム３が後方に揺動されると、強い張力が形成され得、その結果、肛門マッサージアーム３が肛門に向かう回転傾向を形成し、それによって肛門マッサージヘッド４に肛門および肛門周囲皮膚を密接に圧縮させる。他の実施形態では、弾性要素はまた、ばね、弾性シートなどの形態であり得る。例えば、図１２に示される弾性要素は、回転シャフトディスク３．１と肛門マッサージアーム３との間に設けられ、肛門マッサージアーム３が肛門に当接する部分にプリロードを提供するように構成されたばね３．４’である。ばねの別の用途の形態では、ばねはまた、肛門マッサージアーム３の中間と支持ホルダのマッサージ機器装着ブラケット１との間に配設され得る。
【００８１】
肛門マッサージアーム３とマッサージアセンブリ装着ブラケット１との間に相対回転が存在することを考慮すると、これらの部分の相対移動が移動中に圧縮により身体の皮膚を損傷することを防止するために、選択的に回転シャフトディスク３．１の外側に保護ハウジング３．２も設けられている（具体的には図３参照）。保護ハウジング３．２は、回転シャフトディスク３．１の移動中に身体に引き起こされる、考えられる損傷を回避するように、回転シャフトディスク３．１から身体を隔離することができる。
【００８２】
図４および５は肛門マッサージヘッド４の異なる形態を示しており、ユーザは肛門マッサージヘッド４の所望の形態を変更することができる。つまり、肛門マッサージヘッド４は、肛門マッサージアーム３に対して脱離可能および／または交換可能である。さらに、肛門マッサージヘッド４はまた、ユーザが快適さまたはマッサージエリアによる調節を行うことができるように、肛門マッサージアーム３に対して適所に調節可能であってもよい。複数の装着穴３．３を肛門マッサージアーム３内に設けることができ、肛門マッサージヘッド４は、異なる装着穴３．３内に肛門マッサージヘッド４を装着することによって、肛門マッサージアーム３に対して肛門マッサージヘッド４の位置を調節することができる。かかる別々の装着穴の調節構造に加えて、本開示による身体マッサージ機器のさらなる実施形態では、肛門マッサージヘッド４の位置が肛門マッサージアーム３に対して連続的に調節可能であるような構造で同様に提供されてもよい。例えば、肛門マッサージヘッド４上にはスリーブまたは摺動ブロックが設けられており、肛門マッサージアーム３上でのスリーブまたは摺動ブロックの摺動をロック解除およびロックすることによって位置調節が実現される。
【００８３】
マッサージ効果を高めるために、いくつかの実施形態では、肛門マッサージアーム３または肛門マッサージヘッド４上に振動モータ４．２を設けることができ、振動モータ４．２によって生成された振動効果を使用して、肛門および肛門周囲皮膚への連続的な振動効果を生成するように肛門マッサージヘッド４を促す。肛門マッサージヘッドによって実現された圧縮および／またはこすり効果と組み合わせて、身体の性的刺激効果をさらに改善することができる。振動モータ４．２を、肛門マッサージヘッド４と一緒に、肛門マッサージアーム３上で適所に調節することができる。
【００８４】
肛門マッサージヘッド４は、例えば、金属、ゴム、シリコン、プラスチック、セラミックなどの単一材料で一体的に作製されてもよく、かつ複数の材料の組み合わせであってもよい。肛門マッサージヘッド４の耐久性および操作の快適さを考慮すると、ベース本体および可撓性表面層材料を含む肛門マッサージヘッド４の形態を使用することが可能であり、可撓性表面層材料は、ベース本体の少なくとも一部の表面を覆う。シリコン、ゴム、または革であり得る可撓性表面層材料は、使用中の快適さ改善し、マッサージ処理中に肛門部分および肛門周囲皮膚に引き起こされる、考えられる害をできるだけ回避することができる。
【００８５】
肛門および肛門周囲皮膚に接触するための肛門マッサージヘッド４の一部分は、平滑表面、ひだ状表面、顆粒状表面、凹凸表面、または調節可能な形状を有する表面であるように構成され得る。図４に示される肛門マッサージヘッド４は、装着部４．３と、装着部４．３上に装着され、肛門および肛門周囲皮膚との接触のために使用されるスパイラルワイヤ４．１とを有する。スパイラルワイヤ４．１は、様々な形状、例えば、アーク形状または波形状に一体的に手動で調節され得る。スパイラルワイヤ４．１は、複数組のスパイラルを有して、より小さい波形状を形成し、それによってよりデリケートなマッサージ感覚が身体に対して生成されることを可能にすることができる。図５に示される肛門マッサージヘッド４は、装着部４．３と、装着部４．３上に装着され、肛門および肛門周囲皮膚との接触のために使用される硬質ロッド４．１’とを有する。硬質ロッド４．１’は、平滑表面に機械加工され得る。また、複数の別々の凹凸構造を、長手方向、横断方向に、または硬質ロッド４．１’の表面上のスパイラル形状に機械加工することも可能である。硬質ロッド４．１’はまた、ゴム、シリコン、ナイロン、革、およびこれらの上のものなどの可撓性表面層材料をさらに備え得るベース本体として機能し得る。
【００８６】
肛門マッサージヘッド４の他の形態を図６〜９に示す。これらのうち、複数の硬質または可撓性突出部４．１’’を図６の装着部４．３上に装着して、凹凸表面を形成する。長手方向に沿って波形状を提示する硬質または可撓性ロッド４．１’’’が図７の装着部４．３上に装着されている。長手方向および横断方向に沿って分散された複数の顆粒状突出部４．１ＩＶが図８の装着部４．３上に装着されている。肛門口の形状と嵌合する円形または楕円形の突出部を備える硬質ロッド４．１Ｖが図９の装着部４．３上に装着されており、肛門口へのマッサージ効果を高めることができる。これらの肛門マッサージヘッド４の異なる形態は、ユーザの異なるニーズを満たすようにユーザにより多くの選択肢を提供する。
【００８７】
さらなる実施形態では、肛門マッサージアーム３は、特に、伸縮ロッドと伸縮駆動機構とを含み得る。伸縮ロッドの端部は、肛門マッサージヘッド４と接続されている。肛門マッサージヘッド４が摺動刺激を肛門および肛門周囲皮膚に及ぼすように、駆動伸縮ロッドを駆動させて、伸縮駆動機構による伸縮動作を遂行することができる。ユーザの制御の下、伸縮駆動機構は、摺動刺激をユーザの肛門および肛門周囲皮膚に自動的に及ぼすことができ、その結果、ユーザが長時間の間に疲れやすいという問題を排除することができる。伸縮駆動機構は、より強い駆動力を実現してマッサージ効果を強化することができる。伸縮駆動機構は、線形エアシリンダ、線形油圧シリンダ、または線形電気モータを使用して伸縮ロッドを直接駆動することができる。伸縮ロッドはまた、空気モータ、油圧モータ、または伝達機構併用モータを使用して、伸縮ロッドの線形駆動を達成することができる。
【００８８】
身体の非常に敏感である肛門および肛門周囲皮膚に加えて、陰茎、肛門括約筋、会陰部などの部分も非常に敏感である。したがって、本開示による身体マッサージ機器はまた、陰茎、肛門括約筋、前立腺、および会陰部などの部分を対象とするマッサージアセンブリがさらに設けられてもよい。
【００８９】
本開示による身体マッサージ機器のさらなる実施形態では、肛門括約筋への圧縮および／またはこすりマッサージを遂行するための括約筋マッサージヘッドも含まれていることがある。図５、１０、および１３はそれぞれ、３つの異なる形態の括約筋マッサージヘッド８、８’、および８’’を示す。括約筋マッサージヘッドは、支持ホルダ上に直接装着されてもよいし、また他のマッサージアセンブリ上に装着されてもよい。例えば、肛門マッサージアセンブリの肛門マッサージアーム３上に装着されている。
【００９０】
括約筋マッサージヘッドの装着を容易にするために、括約筋マッサージヘッドを装着するための括約筋マッサージアームを選択的に設けることができる。つまり、括約筋マッサージヘッドは、括約筋マッサージアームによって支持ホルダ上に装着されていてもよいし、または他のマッサージアセンブリ（例えば、肛門マッサージアセンブリなど）に装着されていてもよい。括約筋マッサージヘッドは、異なる位置で肛門括約筋をマッサージし、それによってより快適なマッサージ感覚を得ることができるように、複数設けられ、異なる位置、例えば、肛門マッサージアセンブリの左側および右側または前側および後側に装着されてもよい。
【００９１】
肛門マッサージアーム３上に直接装着され、肛門マッサージヘッド４の前側に位置する図５に示される括約筋マッサージヘッド８は、肛門の前側で肛門括約筋への圧縮および／またはこすりマッサージを遂行することができる。肛門マッサージヘッド４の左側および右側に直接装着された図１０に示される括約筋マッサージヘッド８’は、肛門の左側および右側で肛門括約筋への圧縮および／またはこすりマッサージを遂行することができる。比較的幅広いサイズを備える図１０の括約筋マッサージヘッド８’は、臀部の輪郭に一致し得る。図１３の括約筋マッサージヘッド８’’も、例えば、アーク形状または波形状を一体的に提示する様々な形状に手動で調節され得るスパイラルワイヤの形態で肛門マッサージアーム３上に直接装着されている。スパイラルワイヤ４．１は、複数組のスパイラルを有して、より小さい波形状を形成し、それによってよりデリケートなマッサージ感覚が身体に対して生成されることを可能にする。かかるスパイラルワイヤ構造を備える括約筋マッサージヘッド８’’は、肛門マッサージアーム３内の装着穴３．３を使用して適所に装着および調節され得る。
【００９２】
括約筋マッサージヘッドは、支持ホルダまたは他のマッサージアセンブリなどの上に固定され得、また、括約筋マッサージアーム、肛門マッサージアセンブリ、および／または支持ホルダに対して脱離可能および交換可能であり得る。さらに、括約筋マッサージヘッドの設定位置をユーザのニーズに従って調節することができる。肛門括約筋およびその表面皮膚への摺動マッサージを実現するように、括約筋マッサージヘッドが、設けられた駆動機構によって、支持ホルダまたは他のマッサージアセンブリ（例えば、肛門マッサージアセンブリなど）に対して摺動することを可能にすることもできる。駆動機構は、摺動刺激をユーザの肛門括約筋に自動的に適用することができる。振動を実現するための振動モータなどの機器を括約筋マッサージヘッド上に設けることもできる。
【００９３】
肛門括約筋に接触するための括約筋マッサージヘッドの一部分は、ユーザの操作ニーズを満たすように、平滑表面、ひだ状表面、顆粒状表面、凹凸表面、または調節可能な形状を有する表面であるように構成され得る。括約筋マッサージヘッドは、単一材料で形成され得る。括約筋マッサージヘッドはまた、ベース本体と、ベース本体の少なくとも一部の表面を覆う可撓性表面材料とを含み得る。可撓性材料または可撓性表面層材料は、使用中の快適さを改善し、マッサージ処理中に肛門括約筋およびその表面皮膚に引き起こされる、考えられる害をできるだけ回避することができる。
【００９４】
本開示による身体マッサージ機器のさらなる実施形態では、陰茎マッサージアセンブリをさらに追加することができる。陰茎マッサージアセンブリは、身体の陰茎への圧縮および／またはこすりマッサージを遂行するために、マッサージアセンブリ装着ブラケット１または支持ホルダの脚挟持構造２上に装着され得る。
【００９５】
陰茎の尿道口周りおよび肛門口周りの性的神経は最も発達しているため、かかる神経は性的快感およびオルガズムに最も大きな効果を及ぼす。したがって、性的快感およびオルガズムは、陰茎、肛門、および肛門周囲皮膚の同時の摺動および圧縮刺激を実施することによって効果的に生成され得る。これらのうち、陰茎の快感は男性が相手との性交中に性的快感およびオルガズムを得るための主な方法であるが、前立腺に近い肛門周りの性的神経は主に肛門周りの刺激に対する前立腺の快感をもたらし、かかる快感は陰茎の快感によって身体に生成される体験および感覚とは異なる。さらに、本実施形態による支持ホルダ上に装着された肛門マッサージアセンブリおよび陰茎マッサージアセンブリのマッサージ効果によって、男性ユーザが通常の性交処理に加えて、２つの性的快感が並置された後に稀有な体験および驚くべき感覚を体験することができるように、同時に陰茎の刺激と、肛門および肛門周囲皮膚、さらには前立腺の刺激とに身体をさらすことが可能である。さらに、射精時間を効果的に延ばし、それによってユーザが長時間にわたって高度な性的興奮およびオルガズムを保つように、ユーザは自身の状態に従って異なる部分の刺激の強さを制御することができる。
【００９６】
図１および２を参照すると、陰茎マッサージアセンブリは、陰茎マッサージアーム７と陰茎マッサージヘッド６とを含む。これらのうち、陰茎マッサージアーム７は支持ホルダ上に装着されており、陰茎マッサージヘッド６は陰茎マッサージアーム７の一方の端部に装着され、陰茎に圧縮力を及ぼし、それによって陰茎への圧縮マッサージを実施し、かつ陰茎マッサージヘッド６に対する陰茎の移動と共に陰茎へのこすりマッサージを遂行するように構成されている。
【００９７】
陰茎マッサージアーム７は、肛門マッサージアセンブリの前方に位置する位置で、マッサージアセンブリ装着ブラケット１または支持ホルダの脚挟持構造２上に装着され得る。陰茎マッサージアーム７はまた、陰茎マッサージヘッド６の傾斜角および位置を調節するように、支持ホルダに回転可能に接続されるかもしくは可撓可能に接続されるように設けることもできるような形態で支持ホルダから取り外されてもよい。陰茎マッサージヘッド６は、陰茎マッサージアーム７上に固定して装着されてもよく、また、陰茎マッサージアーム７に対して脱離可能および／または交換可能であってもよい。陰茎マッサージアーム７上の陰茎マッサージヘッド６の位置は、必要に応じて調節され得る。
【００９８】
図１および２を参照すると、陰茎マッサージヘッド６の一例は、陰茎マッサージアーム７の長さ方向に沿って配置された複数の少なくとも部分的に密閉された環状構造６．１と、陰茎を受容するために使用される環状構造６．１の中空部分とを含む。環状構造６．１は、選択的に、ユーザが環状構造６．１の中へ陰茎を前方に収納することができるように、後方に開いていてもよい。円周方向に完全に密閉された環状構造６．１の場合、ユーザは環状構造６．１の下側から環状構造６．１の中へ陰茎を上方に設置することができる。
【００９９】
環状構造６．１は弾性構造であってもよいし、また、弾性材料で作製されてもよい。代替的に、環状構造６．１の内壁は、弾性構造であるか、または弾性材料で作製されている。環状構造６．１の内壁は、異なるサイズおよび形状の陰茎に適合するように、陰茎の外側輪郭に実質的に一致する輪郭形状で構成され得る。複数の環状構造６．１のサイズおよび材料は同じであってもよいし、また、異なってもよい。各環状構造６．１は、ユーザにとってより好適な内部輪郭に結合されるように、個々に交換され得る。他の実施形態では、環状構造６．１または環状構造６．１の内壁はまた、非弾性材料で作製されてもよい。
【０１００】
他の実施形態では、陰茎マッサージヘッド６は、特に、陰茎マッサージアーム７の長さ方向に沿って設けられた少なくとも部分的に密閉された管状構造を含み得る。管状構造は、選択的に、ユーザが管状構造の中へ陰茎を前方に収納することができるように、後方に開いていてもよい。円周方向に完全に密閉された管状構造の場合、ユーザは管状構造の下側から管状構造の中へ陰茎を上方に収納することができる。管状構造は弾性構造であってもよいし、また、弾性材料で作製されてもよい。代替的に、管状構造の内壁は、弾性構造であるか、または弾性材料で作製されている。管状構造の内壁は、異なるサイズおよび形状の陰茎に適合するように、陰茎の外側輪郭に実質的に一致する輪郭形状で構成され得る。他の実施形態では、管状構造または管状構造の内壁はまた、非弾性材料で作製されてもよい。
【０１０１】
陰茎が適切な刺激効果を得ることを可能にするために、管状構造または環状構造６．１は、可撓性マッサージクッション６．２と交互に並べられており、陰茎と接触する可撓性マッサージクッションの内側表面は、平滑表面、ひだ状表面、顆粒状表面、または凹凸表面であるように構成されている。異なる形状の表面によって、ユーザはより快適な操作感覚を得ることができる。
【０１０２】
可撓性マッサージクッション６．２は、可撓性表面層と、可撓性フィラーとを含み得、可撓性フィラーは、陰茎がマッサージ処理中に損傷することを回避するように、可撓性表面層と管状構造または環状構造６．１の内壁との間に配設されている。
【０１０３】
陰茎根部分近位の会陰部（大腿根の内側部分を含む）への圧縮および／またはこすりマッサージを遂行するために、会陰部マッサージアセンブリを陰茎マッサージアセンブリ上にさらに設けることもできる。図１は、陰茎マッサージアーム７上に装着された会陰部マッサージアセンブリ５を示す。会陰部マッサージアセンブリ５はまた、肛門マッサージアセンブリ上に配設され得る。肛門マッサージアーム３上に装着された図１に示される別の会陰部マッサージアセンブリ５は、肛門の前側で会陰部への圧縮および／またはこすりマッサージを遂行することができる。さらなる実施形態では、会陰部マッサージアセンブリ５はまた、支持ホルダ上に直接装着され得る。
【０１０４】
会陰部マッサージアセンブリは、会陰部マッサージヘッド５．１のみを含み得るか、または選択的に、設定位置に応じて会陰部マッサージアーム５．３によって装着され得る。身体の会陰部が陰茎根から肛門の前側までの条片部分に位置すること、およびさらに、その部分がある特定の曲線を提示することを考慮すると、会陰部マッサージアーム５．３および／または会陰部マッサージヘッド５．１は、会陰部マッサージヘッド５．１が異なる形態の会陰部に一致するように、異なる角度または形状に可撓可能であり得ることが必要である。
【０１０５】
会陰部マッサージヘッド５．１は前方下側部分に向かって突出する円形アーク形状を一体的に提示し、その形状が、良好に緊密に取り付けられた効果を得るように、身体の会陰部エリアの曲線に一致することが図１から見ることができる。同様に図１から見ることができるように、会陰部領域に接触するための会陰部マッサージヘッド５．１の一部分には、会陰部へのマッサージおよび圧縮効果を高め得る、顆粒状表面を形成する複数の顆粒状突出部５．２が設けられている。さらなる実施形態では、会陰部に接触するための会陰部マッサージヘッド５．１の一部分はまた、平滑表面、ひだ状表面、または凹凸表面であるように構成され得る。
【０１０６】
会陰部マッサージヘッド５．１は、単一材料で一体的に作製され得る。例えば、ある特定の弾性を提示するシリコン、プラスチック、金属、またはナイロン材料を使用して、会陰部マッサージヘッド５．１を作製する。使用される異なる材料に従って、会陰部マッサージヘッド５．１を必要に応じて所望のラジアンに折り曲げることもできる。他の実施形態では、会陰部マッサージヘッド５．１は、ベース本体と、ベース本体の少なくとも一部の表面を覆う可撓性表面材料とを含み得る。このように、支持効果をベース本体によって実現することができる。さらに、可撓性表面層材料は、使用中の快適さ改善し、マッサージ処理中に会陰部に引き起こされる、考えられる害をできるだけ回避することができる。
【０１０７】
要件に従ってユーザがマッサージ部分を選択することを容易にするために、会陰部マッサージヘッド５．１は、それによって直接装着された会陰部マッサージアーム５．３、支持ホルダ、肛門マッサージアセンブリ、および／または陰茎マッサージアセンブリに対して脱離可能であり得る。ユーザはまた、必要に応じて適切な会陰部マッサージヘッド５．１に置換し、会陰部マッサージヘッド５．１の位置を調節することができる。
【０１０８】
表面層の皮膚を対象とする上述の様々なマッサージアセンブリに加えて、本開示による支持ホルダのマッサージアセンブリ装着ブラケットはまた、挿入タイプの前立腺マッサージ器などの挿入タイプのマッサージアセンブリを装着することができる。挿入タイプの前立腺マッサージ器は、肛門マッサージアーム上に直接装着されてもよく、かつまた、支持ホルダ上に直接装着されてもよいし、または肛門マッサージアームによって支持ホルダ上に装着されてもよい。その機能は、肛門内部の前立腺への圧縮および／またはこすりマッサージを遂行し、それにより身体の前立腺への刺激効果を実現するために、身体の肛門内に挿入するためのものである。
【０１０９】
身体マッサージ機器の前述の実施形態を使用する場合、支持ホルダを身体の下肢に装着することが必要である。その固定をより信頼できるものにするために、支承衣服を着用することによってさらに助けることができる。ユーザは支承衣服を身体の少なくとも脚および腰−臀部部分に着用する必要があり、支承衣服は、支持ホルダを身体の下肢に固定するのを助けるように支持ホルダを支承することができる。支承衣服はまた、支持ホルダおよび支持ホルダ上に装着された様々なマッサージアセンブリを少なくとも部分的に包覆し、それによって様々なマッサージアセンブリが身体の対応する位置に接近するのを助ける。支承衣服は非弾性材料で作製されてもよいし、かつまた、弾性材料で作製されてもよい。
【０１１０】
図１４に示されるように、支承衣服は、支承パンツ９であり得る。支承パンツ９の上側には、腰−臀部部分の包覆サイズを調節することができる腰ベルト、引きロープ、または弾性ロープを有する腰−臀部包覆部分９．１が設けられている。支承パンツ９の下側には、身体の大腿を包覆する脚包覆部分９．２が設けられている。両側の脚包覆部分９．２の間に股包覆部分を設けることができ、その結果、腰−臀部包覆部分９．１、脚包覆部分９．２、および股包覆部分は支持ホルダを一緒に支承し、かつまた、支持ホルダおよび支持ホルダ上の様々なマッサージアセンブリを一緒に包覆することができる。
【０１１１】
滑沢剤は通常、マッサージ処理中の身体のために使用され、身体はそれ自体がある特定の量の体液を分泌し得ることを考慮すると、滑沢剤および体液が脚へと流れると、ユーザに不快さをもたらすことがあるため、液体収集バッグ９．３を股包覆部分に選択的に設けることができる。下側部分にあるため、滑沢剤およびマッサージ処理中に身体によって分泌された体液を収集し、身体から滑沢剤および体液を隔離し、それによってユーザが掃除することを容易にし、かつまた、長時間使用中にユーザをより快適にさせることが可能である。
【０１１２】
支持ホルダの固定を助けるために、腰−臀部包覆部分９．１上にベストバンド９．５をさらに装着することができる。ベストバンド９．５は、支承パンツ９の支承効果を助けるように、支持ホルダおよび支持ホルダ上に装着された様々なマッサージアセンブリに接続されている。その接続形態は、支持ホルダ上で効果的な支持効果を達成するように、ベストバンド９．５が支持ホルダ上に締結されるか、または支持ホルダ上の装着穴に通過されるか、もしくは支持ホルダの下に通されるものであり得る。
【０１１３】
肛門マッサージヘッドが好適な圧縮力を肛門および肛門周囲皮膚に提供することを可能にするために、支持ロッド３．７を図１５に示される肛門マッサージアセンブリの肛門マッサージヘッド４上にさらに装着することができる。支持ロッド３．７は、支承パンツ９および支持ロッド３．７の支承効果によって肛門マッサージヘッド４が肛門および肛門周囲皮膚に当接するように、支承パンツ９の後側で支持され得る。肛門マッサージヘッド４の装着部４．３の下側にヒンジ付けされた支持ロッド３．７の上端部が装着部４．３に対して揺動し得ることを図１５から見ることができる。支持ロッド３．７が支承パンツ９の後側によって固定された後、支承パンツ９によって支持ロッド３．７に及ぼされた圧力は、肛門マッサージヘッド４に伝達され、その結果、それが肛門および肛門周囲皮膚に当接し、それによって良好な圧縮およびこすりマッサージ効果を得ることができる。他の実施形態では、支持ロッド３．７はまた、肛門マッサージアーム３上に装着され得る。
【０１１４】
支持ロッド３．７は、支承パンツ９の後側に直接支持され得る。例えば、支持バー３．７の自由端部は、支持ロッド３．７ができるだけ安定して支承パンツ９内で支持され得るように、大きな接触面積を有する支持平面に形成されている。支持ロッド３．７の支持をより安定させ、調節要件を満たすために、支持ロッド３．７の端部にはプラグ３．８が選択的に設けられ、支承パンツ９の後側には支持および固定部分９．６が設けられている。
支持および固定部分９．６（図１４参照）には、プラグ３．８と嵌合可能な複数のプラグ固定穴が設けられており、プラグ３．８をプラグ固定穴のいずれか１つに選択的に差し込んで、それによって支持ロッド３．７の固定位置の調節を実施することができる。プラグ固定穴は、垂直方向に沿って別々に複数配置され得る。ユーザが肛門マッサージヘッド４の過度な圧縮力を感じた場合、プラグ３．８を下側のプラグ固定穴に挿入することができ、逆では、プラグ３．８が上側のプラグ固定穴に挿入される。
【０１１５】
上述の陰茎マッサージアセンブリは脱離可能であるため、陰茎マッサージアセンブリが脱離された状態にある場合、支承パンツ９の前側に設けられた開口部９．４は、ユーザが身体マッサージ機器を着用したまま、相手と性交を遂行し得るように、身体の陰茎が開口部９．４から突出することを容易にし得る。性交処理では、性交処理中の男性ユーザの身体の前後移動と連動して、陰茎を摺動刺激にさらしながら、身体を、例えば、肛門および肛門周囲皮膚、肛門括約筋、会陰部などの部分で摺動および／または圧縮刺激にさらすこともできる。したがって、陰茎の勃起硬度を高め、ユーザおよび相手の性的快感およびオルガズムの強さを促進させることが可能である。
【０１１６】
さらなる実施形態では、身体マッサージ機器は、肛門内部の前立腺への圧縮および／またはこすりマッサージを遂行するために肛門内へ挿入するための、肛門マッサージアセンブリおよび／もしくは支持ホルダ上に直接または肛門マッサージアームによって装着された挿入タイプの前立腺マッサージ器をさらに含み得る。
【０１１７】
上述のような身体マッサージ機器の各々の実施形態では、自動マッサージを実現するようにマッサージアセンブリ装着ブラケット１上に装着された様々なマッサージアセンブリを駆動するための電気、空気、または油圧駆動機構がさらに設けられていることがある。ユーザは、駆動機構を制御することによって刺激の強さを制御することができ、かつ体力を効果的に節約し、長時間使用の間の疲れの問題を排除することができる。
【０１１８】
本開示による身体マッサージ機器の複数の実施形態は、添付の図面を参照して以下に詳細に説明されている。肛門マッサージアセンブリについては、肛門および肛門周囲皮膚への良好なマッサージ効果を得るために、通常、肛門および肛門周囲皮膚への所定の圧縮力以上の圧縮効果を形成する必要があることに留意されたい。圧縮効果によって、こすりマッサージのために必要な摩擦力を増加させ、それによって肛門および肛門周囲皮膚へのより激しい刺激効果を形成することも可能である。複数の弾性要素、支承パンツ、支持ロッド、ならびに支承パンツ内に設けられたベストバンドおよびプラグ固定穴のうちの１つまたはこれらの組み合わせは、肛門マッサージヘッドの圧縮力を確保することができる構造である。
【０１１９】
本開示の中で様々なマッサージアセンブリと共に装着された身体マッサージ機器は、ユーザの性的慰みのニーズを満たすために特別に体験された性的刺激およびオルガズムをユーザに提供することができるだけでなく、ユーザの性的ヘルスケアおよび関連疾患の補助療法を満たすように、マッサージ部分の皮膚、筋肉、および経穴へのマッサージ効果によって、ユーザの物理状態を調節し、泌尿器、肛門直腸、生殖、および消化器系の疾患に関するユーザ自身のリハビリテーションを助け、ユーザの性的能力を促進することもできる。ユーザの異なるニーズを対象とし得る本開示による身体マッサージ機器は、性的機能のヘルスケアを実現するための性的マッサージ機器、疾患からの補助リハビリテーションおよび性的能力の改善を実現するための補助療法機器、または性的興味の促進を実施するための性的慰み用機器になる。
【０１２０】
上述の身体マッサージ機器の複数の実施形態に基づいて、その操作方法を次に説明する。身体マッサージ機器を操作するための方法は、
支持ホルダを身体の下肢に装着し、肛門マッサージアセンブリを身体の肛門の位置に当接させることと、
身体によって遂行された所定の反復動作によって、肛門マッサージアセンブリに身体の肛門および肛門周囲皮膚への圧縮および／またはこすりマッサージを遂行させることとを含む。
【０１２１】
所定の反復動作はここでは、身体の起立状態での腰または膝の反復された屈曲および伸展動作であり得る。例えば、身体はわずかな角度で下垂動作と直立動作とを反復および交互に遂行するか、またはわずかな角度でしゃがむ動作と直立動作とを反復および交互に遂行し、その結果、身体の股が肛門マッサージアセンブリに対して移動し、それによって肛門マッサージアセンブリが身体の肛門および肛門周囲皮膚への圧縮および／またはこすりマッサージを遂行することを実施することができる。同様に、会陰部マッサージアセンブリ、括約筋マッサージアセンブリ、および陰茎マッサージアセンブリの場合、かかる所定の反復動作は、かかるマッサージ部分とマッサージアセンブリとの間の相対移動を実現し、それによってマッサージアセンブリが対応するマッサージ部分への圧縮および／またはこすりマッサージを遂行することを実施することもできる。加えて、所定の反復動作はまた、小さなステップでの身体の歩行動作および相手との性交動作を含む。
【０１２２】
先述の支持ホルダは、特に、身体の脚を挟持および固定するための脚挟持構造２と、脚挟持構造２上に装着され、様々なマッサージアセンブリを装着するために使用されるマッサージアセンブリ装着ブラケット１とを含む。したがって、いくつかの実施形態では、該操作方法は、
支持ホルダが身体の脚に装着されると、マッサージアセンブリ装着ブラケット１上に装着された様々なマッサージアセンブリを身体の対応する位置に当接させることと、
身体が所定の反復動作を遂行するときに、様々なマッサージアセンブリに、身体の対応する位置への圧縮および／またはこすりマッサージを遂行させることとをさらに含み得る。
【０１２３】
機器の前の実施形態の一部では、身体マッサージ機器は、電気、空気、または油圧駆動機構をさらに含み得る。これに対応して、該操作方法は、
マッサージアセンブリ装着ブラケット１上に装着された様々なマッサージアセンブリが身体の対応する位置に当接した後に、電気、空気、または油圧駆動機構を起動し、それによってマッサージアセンブリ装着ブラケット１の様々なマッサージアセンブリを駆動させて自動マッサージを実施することをさらに含み得る。
【０１２４】
身体マッサージ機器のさらなる実施形態では、身体マッサージ機器は、支承衣服をさらに含む。対応する操作方法はまた、
マッサージアセンブリ装着ブラケット１上に装着された様々なマッサージアセンブリを身体の対応する位置に当接させた後に、支承衣服を身体の脚および腰−臀部部位に着用し、それによって支持ホルダを支承衣服によって支承し、支持ホルダおよび支持ホルダ上に装着された様々なマッサージアセンブリを少なくとも部分的に包覆することをさらに含む。
【０１２５】
次に、支承パンツ、肛門マッサージアセンブリ、陰茎マッサージアセンブリ、会陰部マッサージアセンブリ、および括約筋マッサージアセンブリを含む身体マッサージ機器を一例にとり、身体マッサージ機器の操作処理に対する詳細な説明を以下に行う。
【０１２６】
ユーザは最初に、支持ホルダの脚挟持構造を大腿の前側および後側で挟持し、回転シャフトディスクの保護ハウジングがユーザの両脚によって挟持されるように、マッサージアセンブリ装着ブラケットが両脚の間の会陰部の下に位置することを可能にする。次いで、ユーザは、身体上の様々なマッサージ部分に実質的に一致するように、肛門マッサージアーム、会陰部マッサージアーム、陰茎マッサージアームなどの角度および位置を調節する。ユーザはまた、使用するために必要なマッサージヘッドの形状を選択し、陰茎が陰茎マッサージヘッドのスリーブの中に入り、肛門マッサージヘッドが肛門に当接し、会陰部マッサージヘッドが会陰部エリアに当接し、括約筋マッサージヘッドが肛門括約筋に当接するように、マッサージヘッドの位置を調節することができる。ユーザは、マッサージ処理をより平滑にし、かつまた皮膚への損傷を低減するように、滑沢剤を使用して、陰茎、肛門、会陰部、および周辺皮膚などの身体部分、ならびに機器の様々なマッサージヘッドを十分に滑沢することができる。
【０１２７】
ユーザは支持ホルダの装着を終えると、さらに支承パンツを着用して、支持ホルダの安定性を確保し、支承パンツの包覆効果を使用して様々なマッサージヘッドが身体とより十分かつ緊密に接触し得ることを可能にするように、腰−臀部包覆部分の腰バンド、引きロープ、または弾性ロープによって締め付け調節を遂行することが可能である。
【０１２８】
ユーザは、わずかな下垂動作もしくは直立動作を反復および交互に遂行するか、またはわずかなしゃがむ動作と直立動作とを反復および交互に遂行することができる。つまり、身体マッサージ機器の各マッサージヘッドが、同時に陰茎、肛門、肛門括約筋、会陰部エリアなどへの摺動こすりおよび／または圧縮効果を生成し、それによって身体を刺激して性的興奮を生成することができるように、股関節は、大きな移動振幅に関する要件なしで、反復的に折り曲げられ、まっすぐにされ、折り曲げられ、またまっすぐにされる。
【０１２９】
股関節が折り曲げられると、肛門マッサージヘッドおよび会陰部マッサージヘッドが身体に対して前方に摺動するように支持ホルダによって引き出され、同時に、陰茎マッサージヘッドが陰茎に対して上方に摺動する。身体が直立されると、肛門マッサージヘッドおよび会陰部マッサージヘッドが身体に対して後方に摺動するように支持ホルダによって引き出され、同時に、陰茎マッサージヘッドが陰茎に対して下方に摺動する。ユーザが小さなステップで歩行するときに、様々なマッサージヘッドを駆動させて、前述の身体の敏感な部分に対して摺動こすりおよび圧縮刺激を生成することも可能である。
【０１３０】
ユーザは、自身の感覚によって動作の大きさと頻度を調節することができる。連続的な刺激動作は、身体が性的快感を身体内に発生させ、次第にオルガズムの局面に到達することを可能にするであろう。この際の性的快感は通常、陰茎の快感と肛門（前立腺）の快感との重ね合わせである。身体が射精に近いオルガズム局面に到達すると、動作の大きさが低減されるか、または動作が止まる。射精の感覚が低減した後に動作が再開され、その結果、射精前の長い時間を越えずに身体をオルガズム状態に維持することができる。
【０１３１】
肛門（前立腺）の快感は陰茎の快感よりも持続的かつ連続的であり得るため、長時間の快感およびオルガズムを得る必要がある場合、陰茎の刺激強度を低減しつつ、肛門を摺動圧縮することによって刺激の大きさを維持することが可能である。陰茎の刺激の強さを低減する方法は、弾性が少なく、より弛緩した陰茎マッサージヘッドに変更することであっても、または比較的平坦で平滑な内側表面を備える陰茎マッサージクッションに変更することであってもよい。連続的な刺激のなかで、ユーザは、時宜を得て滑沢剤を追加して、様々なマッサージアヘッドが身体の皮膚と接触する部分の十分な潤沢を確保することができる。
【０１３２】
身体マッサージ機器の使用中ごとに、ユーザは、異なる刺激体験を得ることができるように、異なる形状、異なるサイズ、および異なる材料のマッサージヘッドに変更するか、または振動機能を備えたマッサージヘッドとの交換を行うか、または自身のニーズに応じてマッサージヘッドと身体の敏感な部分との相対位置を調節することができる。
【０１３３】
皮膚の表面層の刺激に加えて、ユーザはまた、より多くの性的興奮の効果を得るように、短い肛門マッサージアームと、前立腺を刺激するときに使用する挿入タイプの前立腺マッサージ器とを組み合わせることができる。
【０１３４】
本例は、ユーザ単独で使用され得るだけでなく、相手との性交中の使用で組み合わせられてもよい。つまり、ユーザは、陰茎マッサージアームを取り外して、支承パンツの前方開口部から勃起した陰茎を突出させることができ、性交中の男性の身体の前後移動と連動して、肛門マッサージヘッドおよび会陰部マッサージヘッドは、対応する性的に敏感なエリアを同時に刺激し、それによって男性の陰茎の勃起硬度を増加させ、同時に、男性および女性の性的快感を高めることができる。
【０１３５】
ここまで本開示の様々な実施形態を詳細に記載してきた。本開示の概念を不明瞭にすることを回避するために、当分野で一般に既知の一部の詳細は記載されていない。上記の説明から、当業者は、本明細書に開示される技術的解決策をいかに実装するかを完全に理解することができる。
【０１３６】
最後に、前述の実施形態は本開示の技術的解決策を限定するものではなく、これらを説明するためにのみ使用されること、好ましい実施形態を参照して本開示に対する詳細な説明がなされているが、本開示の実施形態に対する修正を行うか、または技術的特徴の一部に同等の交換を行うことも依然として可能であり、これらはすべて、本開示の趣旨および範囲を逸脱することなく、本開示において保護が求められる技術的解決策の範囲内に網羅されるべきであることを当業者は理解するべきであることが説明されるべきである。
【図１】
2019535335.tif 000003
【図２】
2019535335.tif 000004
【図３】
2019535335.tif 000005
【図４】
2019535335.tif 000006
【図５】
2019535335.tif 000007
【図６】
2019535335.tif 000008
【図７】
2019535335.tif 000009
【図８】
2019535335.tif 000010
【図９】
2019535335.tif 000011
【図１０】
2019535335.tif 000012
【図１１】
2019535335.tif 000013
【図１２】
2019535335.tif 000014
【図１３】
2019535335.tif 000015
【図１４】
2019535335.tif 000016
【図１５】
2019535335.tif 000017
【国際調査報告】
2019535335.tif 000018
2019535335.tif 000019
2019535335.tif 000020
2019535335.tif 000021